(57)【要約】【課題】設置、及び、撤去に際しての作業性の向上を図ることのできる仮設フェンスの基台を提供する。【解決手段】仮設フェンス１を起立させた姿勢で支持するための基台１１は、設置面に接地する基台本体１２と、起立させた姿勢の仮設フェンス１の脚部３を挿入可能に構成され、挿入された脚部３を支持する挿入支持部１５と、基台本体１２の上面側に設けられ、寝かせた姿勢の単管パイプ２１を支持可能に構成されるとともに、支持した単管パイプ２１の少なくとも下部を挿入可能な支持凹部１４とを備えている。また、仮設フェンス１の一対の脚部３のうち一方の脚部３を支持する基台１１の支持凹部１４と、他方の脚部３を支持する基台１１の支持凹部１４とにかけて単管パイプ２１を延在させて支持可能に構成されている。【選択図】      図１
2019060077.tif 000002
【特許請求の範囲】
【請求項１】
フェンス本体と、当該フェンス本体を設置面から上方に離間させる複数の脚部とを具備する仮設フェンスを起立させた姿勢で支持するための基台において、
設置面に接地する基台本体と、
起立させた姿勢の仮設フェンスの脚部を挿入可能に構成され、挿入された脚部を支持する挿入支持部と、
前記基台本体の上面側に設けられ、寝かせた姿勢の棒状体を支持可能に構成されるとともに、支持した棒状体の少なくとも下部を挿入可能な規制支持部とを備え、
所定の仮設フェンスの第１の脚部を支持する基台の前記規制支持部と、前記所定の仮設フェンスの第２の脚部を支持する基台の前記規制支持部とにかけて棒状体を延在させて支持可能に構成されていることを特徴とする基台。
【請求項２】
一対の仮設フェンスの側部同士が、ジョイント部材を介して連結可能に構成された仮設フェンスを支持する基台であって、
少なくとも基台の使用状態において、１乃至複数の基台による複数の前記挿入支持部が、ジョイント部材によって連結された一対の仮設フェンスのうち、連結された側部側の脚部同士の間隔と合致する間隔で、かつ、互いの相対変位が不可能な状態で配置されるよう構成されていることを特徴とする請求項１に記載の基台。
【請求項３】
前記基台本体の上面において、前記規制支持部よりも上方に位置するとともに、前記規制支持部に向けて下方傾斜する傾斜部が設けられていることを特徴とする請求項１又は２に記載の基台。
【請求項４】
前記基台本体の上面において、前記傾斜部の上側から上方に突出する突出部が設けられ、
前記突出部の内側において、上方に開口し、仮設フェンスの脚部を挿入可能な前記挿入支持部が設けられていることを特徴とする請求項３に記載の基台。
【請求項５】
前記基台本体の側面において基台同士を連結可能とする連結手段が設けられていることを特徴とする請求項１乃至４のいずれかに記載の基台。
【発明の詳細な説明】
【技術分野】
【０００１】
本発明は、仮設フェンスを支持する基台に関するものである。
【背景技術】
【０００２】
従来、工事現場等で仮設フェンスを設置する場合には、仮設フェンスの脚部を挿入可能な挿入孔を有する基台が使用される。また、仮設フェンスの設置状態の安定化を図るべく、例えば、基台の内側にコンクリート層を形成したり、中空状の基台の内側に水や砂を充填したりするといった技術がある（例えば、特許文献１、２等参照。）。
【先行技術文献】
【特許文献】
【０００３】
【特許文献１】実公平７−３０８４１号公報
【特許文献２】特開平８−１９９８６５号公報
【発明の概要】
【発明が解決しようとする課題】
【０００４】
ところで、仮設フェンスの設置現場で基台の内側にコンクリート層を形成する場合には、仮設フェンスの設置に際して基台の準備に比較的時間や手間がかかる上、コンクリート層の形成後は、基台の重量が重くなり、撤去作業等が比較的大変になることが懸念される。また、基台の内側に水や砂を充填する場合には、設置に際しての充填作業、及び、撤去に際しての排出作業が比較的大変になることが懸念される。
【０００５】
本発明は、上記例示した問題点等を解決するためになされたものであって、その目的は、設置、及び、撤去に際しての作業性の向上を図ることのできる仮設フェンスの基台を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．フェンス本体と、当該フェンス本体を設置面から上方に離間させる複数の脚部とを具備する仮設フェンスを起立させた姿勢で支持するための基台において、
設置面に接地する基台本体と、
起立させた姿勢の仮設フェンスの脚部を挿入可能に構成され、挿入された脚部を支持する挿入支持部と、
前記基台本体の上面側に設けられ、寝かせた姿勢の棒状体を支持可能に構成されるとともに、支持した棒状体の長手方向に対して交差する方向への棒状体の変位を規制可能な規制支持部とを備え、
所定の仮設フェンスの第１の脚部を支持する基台の前記規制支持部と、前記所定の仮設フェンスの第２の脚部を支持する基台の前記規制支持部とにかけて棒状体を延在させて支持可能に構成されていることを特徴とする基台。
【０００８】
手段１によれば、棒状体を基台の錘として利用することができ、基台、ひいては、仮設フェンスの設置状態を安定化させることができる。また、基台（仮設フェンスを支持する構成）の重量を増加させるための作業は、基本的に基台の規制支持部に棒状体を寝かせて載せるだけであり、さらには、棒状体を複数の基台にかけて設置するように構成されていることから、例えば、基台の重量を１つずつ増加させるような場合に比べ、仮設フェンスの設置に際しての作業性を飛躍的に向上させることができる。
【０００９】
また、複数の基台にかけて棒状体を設置した状態とすることにより、前記複数の基台を整列させることができ、仮設フェンスを基台に取付ける作業に際しての作業性の向上を図ることができる。尚、仮設フェンスが設置されるような現場（例えば、建設現場等）では、単管パイプ等の棒状体が使用されるケース（例えば、仮設足場の設置に使用されるケース）も多く、該棒状体を利用して、基台の重量を重くすることができる。また、単管パイプであれば、保管・運搬が比較的容易であり、比較的簡単に利用に供することができる。
【００１０】
仮設フェンスを撤去する場合には、棒状体を持ち上げるだけで、複数の基台から一挙に棒状体を取外すことができる。さらに、棒状体が外されることで、基台の重量を軽くして基台の回収作業を行うことができる。従って、仮設フェンスの撤去作業を比較的スムース、かつ、迅速に行うことができる。
【００１１】
加えて、起立姿勢で支持されたフェンス本体と、設置面との間に隙間が形成されるような場合には、かかる隙間を介して、仮設フェンスで仕切られた領域に空き缶やゴミ等が不法に投棄される等の事態が懸念される。これに対し、仮設フェンスの複数の基台にかけて棒状体が設置されることにより、前記隙間に棒状体が延在することとなり、前記隙間を塞ぐためだけの構成を別途設置しなくても、前記懸念を抑制することができる。
【００１２】
手段２．一対の仮設フェンスの側部同士が、ジョイント部材を介して連結可能に構成された仮設フェンスを支持する基台であって、
少なくとも基台の使用状態において、１乃至複数の基台による複数の前記挿入支持部が、ジョイント部材によって連結された一対の仮設フェンスのうち、連結された側部側の脚部同士の間隔と合致する間隔で、かつ、互いの相対変位が不可能な状態で配置されるよう構成されていることを特徴とする手段１に記載の基台。
【００１３】
手段２によれば、一対の仮設フェンスをジョイント部材だけでなく、基台によっても連結することができる。従って、ジョイント部材、及び、基台を併用して、仮設フェンスの傾き等を防止しつつ、複数の仮設フェンスを好適に連結することができる。
【００１４】
また、例えば、基台の使用状態において、仮設フェンスのうちジョイント部材との連結部と、基台の前記挿入支持部とが、略鉛直方向に延びる同一直線上に位置することとしてもよい。この場合、仮設フェンスを扉のように回動変位させることができる上、連結される一対の仮設フェンス同士のなす角度がいずれであっても、ジョイント部材、及び、基台を併用して連結することができ、利便性の向上等を図ることができる。
【００１５】
尚、相対変位不可能に配置されている複数の挿入支持部の配置に関する態様例としては、所定の挿入支持部と、規制支持部とが並ぶ方向において、前記所定の挿入支持部と、別の挿入支持部とが並んで配置される第１態様と、所定の挿入支持部と、規制支持部とが並ぶ方向に対して交差する方向（直交する方向）において、前記所定の挿入支持部と、別の挿入支持部とが並んで配置される第２態様と、前記第１態様と、前記第２態様とを組合わせた第３態様とが挙げられる。第３態様としては、例えば、「少なくとも基台の使用状態において、１乃至複数の基台による複数の前記挿入支持部が、ジョイント部材によって連結された一対の仮設フェンスのうち、連結された側部側の脚部同士の間隔と合致する間隔で、平面視の縦方向、及び、横方向に並ぶようにして、互いの相対変位が不可能な状態で配置されるよう構成されていること」が挙げられる。この場合、複数の仮設フェンスを連結する場合に、脚部の相対位置の組合わせのバリエーションを増やすことができる。例えば、互いに隣接する仮設フェンスを前後にずらして配置することで、看板等を通路に突出させることなく配置することも可能となる。
【００１６】
手段３．前記基台本体の上面において、前記規制支持部よりも上方に位置するとともに、前記規制支持部に向けて下方傾斜する傾斜部が設けられていることを特徴とする手段１又は２に記載の基台。
【００１７】
手段３によれば、棒状体を基台に設置する際に、棒状体を規制支持部に正確に載置しなくても、傾斜部に載置すれば、棒状体が規制支持部側に案内され、規制支持部に設置されることとなる。従って、棒状体の設置に際しての作業性の向上を図ることができる。また、規制支持部の幅を棒状体の外径とほぼ同じとしても、棒状体の設置作業性の低下を回避できることから、規制支持部の幅が棒状体の外径に比べて比較的大きく構成される場合に比べ、棒状体の設置状態の安定化を図ること（複数の基台に支持された棒状体の位置ずれをより確実に防止する、棒状体の向きを一定にする等）ができる。尚、傾斜部は規制支持部の一側部側にのみ設けられることとしてもよいし、両側部側に設けられることとしてもよい。
【００１８】
手段４．前記基台本体の上面において、前記傾斜部の上側から上方に突出する突出部が設けられ、
前記突出部の内側において、上方に開口し、仮設フェンスの脚部を挿入可能な前記挿入支持部が設けられていることを特徴とする手段３に記載の基台。
【００１９】
手段４によれば、基台に設置された棒状体への所定の接触に起因して、棒状体が傾斜部側から脱落するといった事態を防止することができる。また、突出部において挿入支持部が設けられることにより、脚部の挿入支持部への挿入長を増やすことができ、脚部をより安定して支持することができる。
【００２０】
尚、傾斜部が規制支持部の一側部側にのみ設けられる構成において、「前記基台本体の上面において、前記規制支持部を挟んで前記傾斜部の反対側にも上方に突出する突出部が設けられ、当該突出部の内側に前記挿入支持部が設けられていること」としてもよい。この場合、傾斜部に案内された棒状体が勢い余って基台から脱落するといった事態を防止することができる。さらに、脚部を挿入させる挿入支持部の選択肢が増え、仮設フェンスの設置のバリエーションを増加させることができる。
【００２１】
手段５．前記基台本体の側面において基台同士を連結可能とする連結手段が設けられていることを特徴とする手段１乃至４のいずれかに記載の基台。
【００２２】
手段５によれば、基台同士を連結することができ、基台単体を汎用性のあるシンプルな構成としても、仮設フェンスの設置（複数の仮設フェンスの配置）のバリエーションの多様化等を図ることができる。また、連結手段が基台本体の側面に設けられるため、基台本体のうち棒状体の載置に関する構成等（手段１の規制支持部、及び、挿入支持部や、手段３の傾斜部等）を連結手段が阻害してしまうといった事態を回避することができる。
【００２３】
手段６．前記基台本体において、上下方向に貫通し、アンカーピンを挿通可能な挿通孔と、前記挿通孔に挿通されたアンカーピンのフック部を前記挿通孔の形成面よりも下方に収容可能とする収容凹部とが設けられていることを特徴とする手段１乃至５のいずれかに記載の基台。
【００２４】
手段６によれば、舗装のされていない地面（例えば、比較的地盤の緩い場所）に仮設フェンスを設置する場合において、アンカーピンを用いて基台を地面に固定することが可能になる。さらに、アンカーピンを使用する場合でも、アンカーピンのフック部（上端部が略Ｌ字状に折返される等して設けられた引っ掛かりの部分）が収容凹部に収容されて基台本体の上面よりも上方に突出しない。このため、棒状体を支障なく基台に設置することができ、アンカーピンと、棒状体とを併用することもできる。
【図面の簡単な説明】
【００２５】
【図１】基台を使用して立設された仮設フェンスを示す斜視図である。
【図２】基台を使用して立設された仮設フェンスを示す斜視図である。
【図３】基台の斜視図である。
【図４】互いに連結された一対の基台を示す斜視図である。
【図５】互いに連結された一対の基台を示す平面図である。
【図６】ジョイント部材の上面側斜視図である。
【図７】ジョイント部材の下面側斜視図である。
【図８】仮設フェンスの配置例を示す斜視図である。
【図９】仮設フェンスの配置例を示す平面図である。
【図１０】仮設フェンスの使用例を示す斜視図である。
【図１１】仮設フェンスの使用例を示す部分拡大平面図である。
【図１２】仮設フェンスの使用例を示す斜視図である。
【図１３】仮設フェンスの配置例を示す斜視図である。
【図１４】アンカーピンの使用例を説明するための斜視図である。
【図１５】別の実施形態における基台を示す斜視図である。
【図１６】別の実施形態における基台を示す斜視図である。
【図１７】別の実施形態における基台を示す斜視図である。
【図１８】別の実施形態における基台を示す斜視図である。
【発明を実施するための形態】
【００２６】
以下に、一実施形態について図面を参照して説明する。図１、図２等に示すように、仮設フェンス１は、略矩形板状のフェンス本体２と、フェンス本体２を設置面から上方に離間させる一対の脚部３とを備え、脚部３が地面等の設置面に設置される基台１１に支持されることで立設されるようになっている。フェンス本体２は、四角枠状の枠部４と、枠部４の内周側に設けられる補強部５とを備えている。また、脚部３は、略円筒状をなしており、枠部４の両側辺部の下端部から下方に突出している。尚、本実施形態の仮設フェンス１は、ポリプロピレンにより一体的に形成されている。
【００２７】
図１、図３等に示すように、基台１１は、設置面に接地する平面視長四角形状の基台本体１２と、基台本体１２の上面から上方に突出する略円筒状の突出部１３と、基台本体１２の上面側に設けられ、棒状体としての単管パイプ２１を寝かせた姿勢で支持可能に構成されるとともに、支持した単管パイプ２１の下部を挿入可能な規制支持部としての支持凹部１４とを備えている。本実施形態では、前記突出部１３が基台本体１２の長手方向に沿って３つ設けられており、各突出部１３の内側において、起立させた姿勢の仮設フェンス１の脚部３を挿入可能に構成され、挿入された脚部３を支持する挿入支持部１５が設けられている。
【００２８】
尚、挿入支持部１５は上下に貫通して設けられており、挿入支持部１５に挿入された仮設フェンス１の脚部３は、その下端部が設置面に設置することとなる。また、本実施形態の基台１１は、ポリプロピレンにより一体的に形成されている。
【００２９】
さらに、本実施形態の突出部１３は、基台本体１２の上面において、基台本体１２の長手方向両端部に対応してそれぞれ設けられるとともに、一方の突出部１３に近接してもう１つの突出部１３が設けられている。以下、互いに近接して設けられた一対の突出部１３のうち、基台本体１２の長手方向における端部に対応して設けられた突出部１３を「第１突出部１３ａ」と称するとともに、その挿入支持部１５を「第１挿入支持部１５ａ」と称し、第１挿入支持部１５ａに近接する突出部１３を「第２突出部１３ｂ」と称するとともに、その挿入支持部１５を「第２挿入支持部１５ｂ」と称し、もう１つの突出部１３を「第３突出部１３ｃ」と称するとともに、その挿入支持部１５を「第３挿入支持部１５ｃ」と称する。
【００３０】
さらに、支持凹部１４は、第２突出部１３ｂと、第３突出部１３ｃとの間に配置されるとともに、縦断面略円弧状をなし、基台本体１２の短手幅方向全域にわたって設けられている。そして、図１等に示すように、仮設フェンス１の一対の脚部３のうち一方の脚部３（第１の脚部）を支持する基台１１の支持凹部１４と、他方の脚部３（第２の脚部）を支持する基台１１の支持凹部１４とにかけて単管パイプ２１を延在させて支持可能に構成されている。このように、基台１１に単管パイプ２１が載置されることにより、単管パイプ２１が基台１１の錘となり、基台１１の変位等が防止されるとともに、仮設フェンス１が安定して支持されるようになっている。本実施形態で使用される単管パイプ２１の長さは、仮設フェンス１の横幅の２倍の長さよりも若干長くなっている。
【００３１】
加えて、基台本体１２の上面には、支持凹部１４と、第３突出部１３ｃとの間において、支持凹部１４よりも上方に位置するとともに、支持凹部１４から第３突出部１３ｃに向けて上方傾斜する傾斜部１６が設けられている。基台本体１２の長手方向における傾斜部１６の幅は、単管パイプ２１の直径よりも広く、単管パイプ２１の直径の２倍の長さよりも狭くなっている。さらに、傾斜部１６は、支持凹部１４の側部と連続して設けられている。第３突出部１３ｃは傾斜部１６の上側に設けられている。
【００３２】
尚、本実施形態では、第１突出部１３ａ、第２突出部１３ｂ、及び、第３突出部１３ｃの内径、及び、外径が同一であるとともに、上端部の高さ位置が同じとなるように構成されている。また、基台本体１２の短手幅は、突出部１３の直径よりも若干広い程度であり、基台本体１２のうち、その長手方向に沿って延びる側面（長側面）と、第２突出部１３ｂとの間の距離は、基台本体１２のうち、その短手方向に沿って延びる側面（短側面）と、第１突出部１３ａ及び第３突出部１３ｃとの間の距離と同等となっている。
【００３３】
また、図３〜図５に示すように、基台本体１２の各長側面には、長側面から側方に突出する横断面略台形状の連結突起１７と、連結突起１７に対応する形状をなす連結凹部１８とが設けられている。連結突起１７及び連結凹部１８は、両方の長側面にそれぞれ設けられているが、一方の長側面において、他方の長側面に設けられた連結突起１７と対応する位置に連結凹部１８が設けられ、他方の長側面に設けられた連結凹部１８と対応する位置に連結突起１７が設けられている。そして、一対の基台１１の連結突起１７と、連結凹部１８とを上下に位置合わせし、連結突起１７を連結凹部１８に挿入させることで、基台１１同士が連結されるようになっている。
【００３４】
一対の基台１１が連結された場合、支持凹部１４に支持される単管パイプ２１の延在方向に沿って、第１突出部１３ａ、第２突出部１３ｂ、第３突出部１３ｃ、及び、支持凹部１４が２つずつ並んで配置されることとなる。また、図５に示すように、本実施形態では、互いに連結された一対の基台１１のうち第１突出部１３ａ間の距離、第２突出部１３ｂ間の距離、及び、第３突出部１３ｃ間の距離と、基台本体１２の長手方向に沿って並ぶ第１突出部１３ａと、第２突出部１３ｂとの間の距離とが（ほぼ）同じとなるように構成されている。尚、本実施形態では、連結突起１７及び連結凹部１８により連結手段が構成されている。加えて、一対の基台１１の連結状態では、基台本体１２の長側面同士が略当接している。
【００３５】
また、図１等に示すように、仮設フェンス１は、仮設フェンス１を並べて設置する場合に、仮設フェンス１の側部同士を、ジョイント部材２３、及び、基台１１により連結可能に構成されている。図６、図７に示すように、ジョイント部材２３は、長円板状のベース部２４と、ベース部２４の下面から下方に突出する一対の略円筒状の挿入突起２５とを備えている。
【００３６】
これに対し、図１等に示すように、フェンス本体２の枠部４の両側辺部の上部には、上方に開口する挿入凹部６が設けられている。挿入凹部６の内周面は横断面円形状をなしている。本実施形態では、挿入凹部６の中心軸と、脚部３の中心軸とが、鉛直方向に延びる同一直線上に延びるようにして構成されている。さらに、１つの基台１１における第１挿入支持部１５ａと、第２挿入支持部１５ｂとの間の間隔、並びに、互いに連結された一対の基台１１のうち第１挿入支持部１５ａ間の間隔、第２挿入支持部１５ｂ間の間隔、及び、第３挿入支持部１５ｃ間の間隔が、ジョイント部材２３によって連結された一対の仮設フェンス１のうち、連結された側部側の脚部３同士の間隔と合致する構成となっている。
【００３７】
このため、例えば、図１等に示すように、一対の仮設フェンス１を同じ向きにして横に並べる場合、互いに隣接する仮設フェンス１のうち一方の仮設フェンス１の脚部３を、互いに連結された一対の基台１１のうち一方の基台１１の第１挿入支持部１５ａに挿入し、他方の仮設フェンス１の脚部３を他方の基台１１の第１挿入支持部１５ａに挿入することで、互いに隣接する仮設フェンス１の下端部間が、互いに連結された一対の基台１１によって連結される。さらに、互いに隣接する仮設フェンス１のうち基台１１によって連結された側の挿入凹部６間の間隔が、ジョイント部材２３の一対の挿入突起２５間の間隔と合致していることから、互いに隣接する仮設フェンス１の挿入凹部６間にかけてジョイント部材２３を取付ける。これにより、互いに隣接する仮設フェンス１の上端部間が、ジョイント部材２３によって連結される。
【００３８】
また、本実施形態では、図８、図９に示すように、一対の仮設フェンス１を同じ向きにして横に並べる場合において、互いに隣接する仮設フェンス１のうち、一方の仮設フェンス１の脚部３を第１挿入支持部１５ａに挿入し、他方の仮設フェンス１の脚部３を第２挿入支持部１５ｂに挿入することで、互いに隣接する仮設フェンス１の下端部間を連結するといった具合に、基台１１を単体で使用するパターンを選択することも可能である。当然、この場合においても、互いに隣接する仮設フェンス１の上端部間をジョイント部材２３で連結可能である。尚、図８、図９では、単管パイプ２１の図示を省略している。
【００３９】
その他、互いに隣接する仮設フェンス１の上端部間をジョイント部材２３で連結可能となるパターンとして、互いに連結された一対の基台１１のうち一方の基台１１の第２挿入支持部１５ｂと、他方の基台１１の第２挿入支持部１５ｂとに対し、互いに隣接する仮設フェンス１の脚部３をそれぞれ挿入するパターンと、互いに連結された一対の基台１１のうち一方の基台１１の第３挿入支持部１５ｃと、他方の基台１１の第３挿入支持部１５ｃとに対し、互いに隣接する仮設フェンス１の脚部３をそれぞれ挿入するパターンとを選択することもできる。
【００４０】
尚、本実施形態における仮設フェンス１の設置作業としては、例えば、先ず、仮設フェンス１の設置予定のラインに沿って単管パイプ２１を並べて設置する。続いて、各単管パイプ２１を支持するようにして基台１１を設置する。さらに、仮設フェンス１の脚部３を基台１１に挿入し、仮設フェンス１を立設させる。そして、隣接する仮設フェンス１同士をジョイント部材２３で連結することで、仮設フェンス１が設置される。
【００４１】
また、本実施形態では、脚部３（挿入支持部１５）の中心軸と、挿入凹部６（ジョイント部材２３の挿入突起２５）の中心軸とが同一直線上に延びることから、図１０〜図１２に示すように、仮設フェンス１のうち基台１１及びジョイント部材２３によって支持された枠部４の一側辺部を中心に、仮設フェンス１を回動変位させることができる。これにより、仮設フェンス１で仕切られた領域に対して出入り可能とする簡易ゲート（門扉）を形成することができる。尚、図１１では、ジョイント部材２３の図示を省略している。また、回動変位可能な仮設フェンス１を左右一対で設けた場合には、図１２に示すように、一対の仮設フェンス１を閉じた状態として（一対の仮設フェンス１の自由端側を突き合わせた状態として）、一対の仮設フェンス１の自由端側の挿入凹部６の間にかけてジョイント部材２３を設けることで、簡易ロックを行うことも可能である。
【００４２】
加えて、一対の仮設フェンス１を互いに直交する向きにして連結することも可能である。その場合においても、図１に示すように、一方の仮設フェンス１の脚部３を第１挿入支持部１５ａに挿入し、他方の仮設フェンス１の脚部３を第２挿入支持部１５ｂに挿入するといった具合に、基台１１を単体で使用するパターンと、図１３に示すように、一方の仮設フェンス１の脚部３を、互いに連結された一対の基台１１のうち一方の基台１１の第１挿入支持部１５ａに挿入し、他方の仮設フェンス１の脚部３を他方の基台１１の第１挿入支持部１５ａに挿入するといった具合に、基台１１を連結して使用するパターンとを選択することができる。
【００４３】
また、図１４に示すように、基台本体１２には、支持凹部１４において、基台本体１２を上下方向に貫通し、アンカーピン２７を挿通可能な挿通孔１９と、挿通孔１９に挿通されたアンカーピン２７のフック部２８（上端部が略Ｌ字状に折返される等して設けられた引っ掛かりの部分）を、支持凹部１４よりも下方に収容可能とする収容凹部２０とが設けられている。例えば、舗装のされていない地面であって比較的地盤の緩い場所に仮設フェンス１を設置する場合には、挿通孔１９を介してアンカーピン２７を地面に打ち込み、基台１１を固定することも可能である。また、アンカーピン２７のフック部２８は、収容凹部２０に収容されることから、支持凹部１４において、支持凹部１４の支持面よりも上方にフック部２８が突出することがない。このため、アンカーピン２７で固定された基台１１の支持凹部１４に単管パイプ２１を載置することも可能である。尚、フック部２８の先端部は基台本体１２よりも側方に突出しており、アンカーピン２７を抜き取る作業に際してフック部２８に工具等を掛け易くなっている。
【００４４】
以上詳述したように、本実施形態によれば、単管パイプ２１を基台１１の錘として利用することができ、基台１１、ひいては、仮設フェンス１の設置状態を安定化させることができる。また、基台１１（仮設フェンス１を支持する構成）の重量を増加させるための作業は、基本的に基台１１の支持凹部１４に単管パイプ２１を寝かせて載せるだけであり、さらには、単管パイプ２１を複数の基台１１にかけて設置するように構成されていることから、例えば、基台１１の重量を１つずつ増加させるような場合に比べ、仮設フェンス１の設置に際しての作業性を飛躍的に向上させることができる。
【００４５】
また、複数の基台１１にかけて単管パイプ２１を設置した状態とすることにより、前記複数の基台１１を整列させることができ、仮設フェンス１を基台１１に取付ける作業に際しての作業性の向上を図ることができる。尚、仮設フェンス１が設置されるような現場（例えば、建設現場等）では、単管パイプ２１等の棒状体が使用されるケース（例えば、仮設足場の設置に使用されるケース）も多く、単管パイプ２１（その他の鋼材でも可能）を利用して、基台１１の重量を重くすることができる。また、単管パイプ２１であれば、保管・運搬が比較的容易であり、比較的簡単に利用に供することができる。
【００４６】
仮設フェンス１を撤去する場合には、単管パイプ２１を持ち上げるだけで、複数の基台１１から一挙に単管パイプ２１を取外すことができる。さらに、単管パイプ２１が外されることで、基台１１の重量を軽くして基台１１の回収作業を行うことができる。従って、仮設フェンス１の撤去作業を比較的スムース、かつ、迅速に行うことができる。
【００４７】
加えて、起立姿勢で支持されたフェンス本体２と、設置面との間に隙間が形成されるような場合には、かかる隙間を介して、仮設フェンス１で仕切られた領域に空き缶やゴミ等が不法に投棄される等の事態が懸念される。これに対し、仮設フェンス１の複数の基台１１にかけて単管パイプ２１が設置されることにより、前記隙間に単管パイプ２１が延在することとなり、前記隙間を塞ぐためだけの構成を別途設置しなくても、前記懸念を抑制することができる。
【００４８】
また、本実施形態では、各基台１１の第１挿入支持部１５ａと、第２挿入支持部１５ｂとの間の間隔、互いに連結された一対の基台１１の第１挿入支持部１５ａ間の間隔、第２挿入支持部１５ｂ間の間隔、及び、第３挿入支持部１５ｃ間の間隔が、それぞれジョイント部材２３によって連結された一対の仮設フェンス１のうち、連結された側部側の脚部３同士の間隔と合致するように構成されている。このため、一対の仮設フェンス１をジョイント部材２３だけでなく、基台１１によっても連結することができる。従って、ジョイント部材２３、及び、基台１１を併用して、仮設フェンス１の傾き等を防止しつつ、複数の仮設フェンス１を好適に（仮設フェンス１の上端部と、下端部とにおいて）連結することができる。
【００４９】
また、例えば、基台１１の使用状態において、仮設フェンス１のうちジョイント部材２３との連結部である挿入凹部６と、基台１１の挿入支持部１５とが、略鉛直方向に延びる同一直線上に位置するようになっている。このため、図１０にように、仮設フェンス１を扉のように回動変位させることができる上、連結される一対の仮設フェンス１同士のなす角度がいずれであっても、ジョイント部材２３、及び、基台１１を併用して連結することができ、利便性の向上等を図ることができる。
【００５０】
加えて、１つの基台１１の第１挿入支持部１５ａと第２挿入支持部１５ｂとの間隔、連結された一対の基台１１の第１挿入支持部１５ａ同士の間隔、第２挿入支持部１５ｂ同士の間隔、及び、第３挿入支持部１５ｃ同士の間隔は同じであるため、複数の仮設フェンス１を連結する場合に、脚部３の相対位置の組合わせのバリエーションを増やすことができる。例えば、図８、図９に示すように、互いに隣接する仮設フェンス１を前後にずらして配置することで、看板等を通路に突出させることなく配置することも可能となる。また、例えば、連結された一対の基台１１の一対の第１挿入支持部１５ａと、一対の第３挿入支持部１５ｃとに対してそれぞれ脚部３を挿入させるようにして、仮設フェンス１を２列にして設けることも可能である。この場合、仮設フェンス１の両側を通路可能とする通路の仕切りとして使用することができ、単管パイプ２１については、通行人の妨げにならない位置に設置することができる。
【００５１】
また、基台本体１２の上面には、支持凹部１４に向けて下方傾斜する傾斜部１６が設けられている。このため、単管パイプ２１を基台１１に設置する際に、単管パイプ２１を支持凹部１４に正確に載置しなくても、傾斜部１６に載置すれば、単管パイプ２１が支持凹部１４側に案内され、支持凹部１４に設置されることとなる。従って、単管パイプ２１の設置に際しての作業性の向上を図ることができる。また、支持凹部１４の幅を単管パイプ２１の外径とほぼ同じとしても、単管パイプ２１の設置作業性の低下を回避できることから、支持凹部１４の幅が単管パイプ２１の外径に比べて比較的大きく構成される場合に比べ、単管パイプ２１の設置状態の安定化を図ること（複数の基台１１に支持された単管パイプ２１の位置ずれをより確実に防止する、単管パイプ２１の向きを一定にする等）ができる。
【００５２】
さらに、基台本体１２の上面には、傾斜部１６の上側から上方に突出する円筒状の第３突出部１３ｃが設けられている。このため、基台１１に設置された単管パイプ２１への所定の接触に起因して、単管パイプ２１が傾斜部１６側から脱落するといった事態を防止することができる。加えて、支持凹部１４を挟んで傾斜部１６の反対側には、第２突出部１３ｂが設けられている。このため、傾斜部１６に案内された単管パイプ２１が勢い余って基台１１から脱落するといった事態を防止することができる。加えて、突出部１３において挿入支持部１５が設けられることにより、脚部３の挿入支持部１５への挿入長を増やすことができ、脚部３をより安定して支持することができる。
【００５３】
また、基台本体１２の長側面には、基台１１同士を連結可能とする連結突起１７及び連結凹部１８が設けられている。このため、基台１１単体を汎用性のあるシンプルな構成としても、基台１１同士を連結させる等して、仮設フェンス１の設置（複数の仮設フェンス１の配置）のバリエーションの多様化等を図ることができる。さらに、連結突起１７及び連結凹部１８が基台本体１２の側面に設けられるため、基台本体１２のうち単管パイプ２１の載置に関する構成等（支持凹部１４、挿入支持部１５、及び、傾斜部１６等）を連結突起１７及び連結凹部１８が阻害してしまうといった事態を回避することができる。
【００５４】
加えて、上記実施形態の基台１１には、アンカーピン２７を挿通可能な挿通孔１９が設けられており、舗装のされていない地面に仮設フェンス１を設置する場合において、アンカーピン２７を用いて基台１１を地面に固定することができる。さらに、アンカーピン２７を使用する場合でも、アンカーピン２７のフック部２８は収容凹部２０に収容されて収容凹部２０よりも上方に突出しないようになっている。このため、単管パイプ２１を支障なく基台１１の支持凹部１４に設置することができ、アンカーピン２７と、単管パイプ２１とを併用することもできる。
【００５５】
また、第１突出部１３ａ、及び、第３突出部１３ｃは、基台本体１２の短側面に近接して設けられ、第１突出部１３ａ、第２突出部１３ｂ、及び、第３突出部１３ｃは、基台本体１２の両長側面に近接して設けられている。このため、仮設フェンス１を基台１１で支持する場合には、基台１１が仮設フェンス１よりも仮設フェンス１で囲われる領域の外方に比較的大きく突出してしまうといった事態を回避することができる。従って、基台１１が仮設フェンス１で囲われる領域の外方を移動する通行人の妨げになってしまうといった事態を防止することができる。
【００５６】
尚、上記実施形態の記載内容に限定されず、例えば次のように実施してもよい。勿論、以下において例示しない他の応用例、変更例も当然可能である。
【００５７】
（ａ）上記実施形態では、１つの基台１１において、３つの挿入支持部１５（突出部１３）と、１つの支持凹部１４とが設けられているが、挿入支持部１５、及び、支持凹部１４の数や配置等は特に限定されるものではなく、少なくとも挿入支持部１５及び支持凹部１４が１つずつ設けられていればよい。
【００５８】
例えば、図１５に示す基台１１１のように、基台本体１２の長手方向に並ぶ３つの挿入支持部１５（突出部１３）の各間に支持凹部１４が１つずつ、合計で２つ設けられるように構成してもよい。支持凹部１４にそれぞれ単管パイプ２１を設置することで、基台１１１の錘を増やすことができ、仮設フェンス１をより安定して支持することができる。尚、図１５の基台１１１には、各支持凹部１４においてアンカーピン２７を挿通可能な挿通孔１９（及び収容凹部２０）が設けられており、一方の支持凹部１４の挿通孔１９は、基台本体１２の一方の長側面側に設けられ、他方の支持凹部１４の挿通孔１９は、基台本体１２の他方の長側面側に設けられている。
【００５９】
また、図１６に示す基台１１２のように、第３突出部１３ｃ（第３挿入支持部１５ｃ）を省略することも可能である。尚、図１６の基台１１２は、第３突出部１３ｃが省略されているものの、傾斜部１６は設けられており、単管パイプ２１の設置に際しての作業性の向上が図られる。さらに、図１６の基台１１２は、基台本体１２の長手方向において突出部１３を間に介在させることなく２つの支持凹部１４が設けられている。この場合、２つの支持凹部１４に設置された２本の単管パイプ２１の上に単管パイプ２１を設置することもでき、基台１１２の錘を増やすことができる。
【００６０】
加えて、第１突出部１３ａ（第１挿入支持部１５ａ）、及び、第２突出部１３ｂ（第２挿入支持部１５ｂ）のうち一方又は両方を省略すること（両方を省略する場合には、第３突出部１３ｃを設けること）としてもよい。また、各基台１１において、基台本体１２の長手方向に並ぶ突出部１３（挿入支持部１５）を４つ以上設けることとしてもよい。
【００６１】
尚、基台１１の重量（錘）を増加させる場合には、単管パイプ２１の所定位置に土嚢などを載置したり、傾斜部１６にも単管パイプ２１を載置したりすることが考えられる。また、単管パイプ２１が複数の基台１１に載置されていることで、土嚢を単管パイプ２１の所定位置に載置した場合には、当該単管パイプ２１が載置されている全ての基台１１に土嚢の重量を掛けることができる。さらに、支持凹部１４に設置される棒状体としても単管パイプ２１に限定されるものではなく、山形鋼、Ｉ形鋼、Ｈ形鋼、丸棒、及び、角パイプ等のその他の鋼材等を利用することも可能である。また、単管パイプ２１等の棒状体は、少なくとも下部の一部が支持凹部１４に収容される（位置決めされる）ようになっていればよく、例えば、第３突出部１３ｃが省略された形状において、支持凹部１４と、設置面との間を跨ぐようにして山形鋼等を設置することも可能である。
【００６２】
加えて、寝かせた姿勢の単管パイプ２１を支持する部位（支持凹部１４）に関しては、単管パイプ２１が回転したり、横にスライドしたりして、単管パイプ２１が基台本体１２に対して単管パイプ２１の径の方向（長手方向に対して交差する方向）に位置ずれし、基台本体１２から脱落することが防止されるように構成されていればよい。例えば、凹部の代わりに、少なくとも一対の突起を設け、一対の突起間において単管パイプ２１を設置することにより、単管パイプ２１が位置決めされた状態で支持されるように構成してもよい。当該構成を採用する場合には、一対の突起の間の部位により規制支持部が構成される。
【００６３】
（ｂ）また、上記実施形態では、挿入支持部１５が略円筒状の突出部１３の内側に設けられているが、例えば、図１７に示す基台１１３のように、外形状が円筒状ではない基台本体１２の一般部位に挿入支持部１５を設けることとしてもよい。但し、脚部３の挿入支持部１５への挿入長を確保するべく、挿入支持部１５が設けられる部位は、支持凹部１４の底部よりも高さのある部位であることが望ましい。尚、図１７の基台１１３は、支持凹部１４の上下の幅（深さ）が、単管パイプ２１の直径よりも長く構成されており、支持凹部１４に設置された単管パイプ２１の上端部まで支持凹部１４に挿入される。さらに、図１７の基台１１３は、傾斜部１６が省略されている。
【００６４】
また、上記実施形態では、挿入支持部１５は上下に貫通して設けられているが、挿入支持部１５を有底状に構成してもよい。さらに、挿入支持部１５は必ずしも横断面円形状としなくてもよく、脚部３及び挿入支持部１５のうち少なくとも一方が横断面略円形状とされていればよい。加えて、上記実施形態では、傾斜部１６は支持凹部１４の一側部側にのみ設けられているが、両側部側に設けられることとしてもよい。また、アンカーピン２７で基台１１を固定可能とする挿通孔１９の形成位置については特に限定されるものではなく、例えば、傾斜部１６において挿通孔１９を設けることとしてもよい。尚、収容凹部２０や挿通孔１９を省略することも可能である。
【００６５】
さらに、基台１１と、基台１１に載置された単管パイプ２１との間を連結する連結部材を設けることとしてもよい。この場合、単管パイプ２１が不用意に動くといった事態を防止することができる。加えて、基台１１において、単管パイプ２１の盗難を防止するためのロック部材を取付けるための取付部を設けることとしてもよい。例えば、基台１１と、基台１１に載置された単管パイプ２１との間を連結する連結部材に南京錠等が取付可能（基台１１の取付孔と、連結部材の取付孔とにかけて南京錠を取付ける等）となるように構成してもよい。
【００６６】
（ｃ）また、上記実施形態では、基台１１同士を連結可能に構成されているが、連結が不可能な構成としてもよい。例えば、図１８に示す基台１１４のように、上記実施形態の基台１１を２つ連結したような形状に一体的に形成されることとしてもよい。当該構成を採用する場合、例えば、上記実施形態の基台１１を２個１セットで使用することを前提とするような場合（第１挿入支持部１５ａのみを使用して複数の仮設フェンス１を連結する場合）において、基台１１同士を連結させる作業を行わなくても済み、設置作業性の向上等を図ることができる。勿論、図１８に示す基台１１４のように、第１挿入支持部１５ａ、第２挿入支持部１５ｂ、及び、第３挿入支持部１５ｃが２つずつ設けられる構成においても、連結突起１７及び連結凹部１８を設ける等して、基台１１４同士を連結可能に構成してもよい。
【００６７】
（ｄ）また、仮設フェンス１の形状等についても特に限定されるものではなく、例えば、フェンス本体２の横幅を広げることに伴って脚部３を３つ以上設けてもよい。さらに、脚部３が、フェンス本体２の枠部４の側辺部よりもフェンス本体２の横幅方向中央部側に変位した位置に設けられていてもよい。
【００６８】
加えて、単管パイプ２１の長さと、仮設フェンス１の横幅との関係についても特に限定されるものではなく、例えば、仮設フェンス１の横幅の２倍よりも単管パイプ２１の長さが若干短い、或いは、同じとなっていてもよい。この場合には、仮設フェンス１を支持する基台１１に対し、単管パイプ２１を支持するため（だけ）の基台１１を連結すること（例えば、基台１１を３つ以上連結すること）としてもよい。尚、挿入支持部１５を、旗竿を立てるポールスタンドとして使用することも可能である。
【００６９】
（ｅ）上記実施形態では、基台１１、及び、仮設フェンス１はポリプロピレンにより構成されているが、ポリエチレン、ＰＥＴ、ポリアミド等その他の樹脂材料により構成されることとしてもよい。また、上記実施形態では特に言及していないが、基台１１の突出部１３を、別の基台１１の基台本体１２に挿入させるようにして、基台１１同士を重ねて保管可能に構成してもよい。
【符号の説明】
【００７０】
１…仮設フェンス、２…フェンス本体、３…脚部、１１，１１１，１１２，１１３，１１４…基台、１２…基台本体、１３ａ…第１突出部、１３ｂ…第２突出部、１３ｃ…第３突出部、１４…支持凹部、１５ａ…第１挿入支持部、１５ｂ…第２挿入支持部、１５ｄ…第３挿入支持部、１６…傾斜部、１７…連結突起、１８…連結凹部、２１…単管パイプ、２３…ジョイント部材。
【図１】
2019060077.tif 000003
【図２】
2019060077.tif 000004
【図３】
2019060077.tif 000005
【図４】
2019060077.tif 000006
【図５】
2019060077.tif 000007
【図６】
2019060077.tif 000008
【図７】
2019060077.tif 000009
【図８】
2019060077.tif 000010
【図９】
2019060077.tif 000011
【図１０】
2019060077.tif 000012
【図１１】
2019060077.tif 000013
【図１２】
2019060077.tif 000014
【図１３】
2019060077.tif 000015
【図１４】
2019060077.tif 000016
【図１５】
2019060077.tif 000017
【図１６】
2019060077.tif 000018
【図１７】
2019060077.tif 000019
【図１８】
2019060077.tif 000020